(57)【特許請求の範囲】
【請求項１】
掘削工法において、掘削された溝の両側面に沿ってその周縁部に間隔をおいて敷設された複数個の取付台と、
これら取付台の上部に固定された複数個の支柱と、
これらの支柱間に掛け渡され連結具を介して該支柱に連結された複数個の横梁と、
線材から構成され横梁間に取着されたネットと、
前記各支柱の上端に対して回動レバーを介して回動可能に連結される斜め梁と、
これら各斜め梁の対向する先端部に挿入されて、各斜め梁を連結する結合部材と
を備えたことを特徴とする掘削工法用フェンス。
【請求項２】
ネットは、線材を縦、横に格子状に配列して横線の一方の側面に縦線を取着してなり、該横線を横梁の側面部に突設した突起に係止して支柱に対して該横梁とともに共締めされていることを特徴とする請求項１記載の掘削工法用フェンス。
【請求項３】
支柱は、下端部に取付台を固着していることを特徴とする請求項１または２記載の掘削工法用フェンス。
【請求項４】
溝を挟んで対向する支柱の上端には、対向する支柱に向けて延設され先端部が結合部材により相互に山形に結合された斜め梁が取着されており、これら斜め梁の上に溝を覆うシートが取着されていることを特徴とする請求項１，２または３記載の掘削工法用フェンス。
【請求項５】
斜め梁は、伸縮可能に構成され、一端部が一方の支柱の上端部に取着された補助支柱に対して回動可能に取付けられ、他端部が他方の支柱の上端に係止されていることを特徴とする請求項１，２又は３記載の掘削工法用フェンス。
【請求項６】
横梁は、折り曲げ可能に構成されて非使用時には該横梁の下部に収容されており、使用時に折り曲げて外側に突出させる電灯保持板を取着していることを特徴とする請求項１〜５のいずれかに記載の掘削工法用フェンス。
【発明の詳細な説明】
【０００１】
【発明の属する技術分野】
掘削工法において、掘削された溝の両側面に沿って設けられる掘削工法用フェンスに関する。
【０００２】
【従来の技術】
従来、掘削工法においては、地表に間隔をおいて２個の土留めパネルを打ち込み或いは矢板を打ち込み、これらの間を掘削して溝を形成している。
【０００３】
そして、溝内で各種の作業を行っている。
【０００４】
【発明が解決しようとする課題】
然しながら、地表に溝が形成されているので、周縁部にて行う作業は、溝に注意しながら実施するので集中力が散漫になる。また、歩行者特に夜間においては溝に気づかずに落下するという問題も発生する。
【０００５】
さらに、雨天においては、溝内の作業ができないので工期が長くなるという問題がある。
【０００６】
本発明は、上記の事情に鑑みてなされたもので、その目的は、溝の周辺における作業の安全性を高め、雨天の作業を可能にする掘削工法用フェンスを提供するにある。
【０００７】
【課題を解決するための手段】
請求項１の発明は、実施例において使用する符号を付して説明すると、掘削工法において、掘削された溝２の両側面に沿ってその周縁部に間隔をおいて敷設された複数個の取付台１１と、
これら取付台１１の上部に固定された複数個の支柱１５と、
これらの支柱１５間に掛け渡され連結具２４を介して該支柱１５に連結された複数個の横梁２１と、
線材から構成され横梁２１間に取着されたネット３１と、
各支柱１５の上端に対して回動レバー４１を介して回動可能に連結される斜め梁４５と、
これら各斜め梁４５の対向する先端部に挿入されて、各斜め梁４５を連結する結合部材４７と
を備えたところに特徴を有し、溝２の側面を覆うので、作業者及び歩行者の安全を確保できるし、溝２の幅が変化したときにも斜め梁４５の傾斜を変えるだけで対応できる。また、この請求項１の発明では、対向する斜め梁４５との結合を解除して、斜め梁４５を支柱１５の側面に重ねれば、溝２内で例えば掘削機械を操作する場合にも、溝２の上方空間を遮ることがないので、作業の支障にならない。
【０００８】
請求項２の発明は、ネット３１は、線材を縦、横に格子状に配列して横線３２の一方の側面に縦線３３を取着してなり、該横線３２を横梁２１の側面部に突設した突起２２に係止して支柱１５に対して該横梁２１とともに共締めされているところに特徴を有し、ネット３１の取付けが簡単であり、しかも、溝２の側面を覆うので、作業者及び歩行者の安全を確保できる。
【０００９】
請求項３の発明は、支柱１５の下端部に取付台７１を固着しているので、組立てが簡単である。
【００１０】
請求項４の発明は、溝２を挟んで対向する支柱１５の上端には、対向する支柱１５に向けて延設され先端部が結合部材４７により相互に山形に結合された斜め梁４５が取着されており、これら斜め梁４５の上に溝２を覆うシート５０が取着されているところに特徴を有し、雨天でも作業が可能となる。
【００１１】
請求項５の発明は、斜め梁８３は、伸縮可能に構成され、一端部が一方の支柱１５の上端部に取着された補助支柱８１に対して回動可能に取付けられ、他端部が他方の支柱１５の上端に係止されているので、溝２の幅の調節が他方の支柱１５側から作業できる。
【００１２】
請求項６の発明は、横梁２１は、折り曲げ可能に構成されて非使用時には該横梁２１の下部に収容されており、使用時に折り曲げて外側に突出させる電灯保持板６１を取着しているところに特徴を有し、照明用の電灯を支持させることができる。
【００１３】
【発明の実施の形態】
以下、本発明に係る第１の実施例のフェンス１０につき図面を参照して説明する。
【００１４】
先ず、図１及び図２において、地表Ｇには間隔をおいて２個の土留めパネル１が打ち込まれ、これら土留めパネル１間に溝２が形成されている。そして、溝２が土留めパネル１の上端まで深くなると、従来の土留めパネル１の上に新たな土留めパネルを継ぎ足してさらに地面に打ち込み溝２を深く掘削している。
【００１５】
土留めパネル１の両端上部には、四角状の取付孔部３が形成されている。
【００１６】
取付台１１は、図３（ａ）に示すように、基板１２の下部に、土留めパネル１の取付孔部３に圧入される固定部１３が形成され、上部に嵌合筒部１４が突設されている。
【００１７】
この取付台１１は、溝２の周縁部例えば土留めパネル１に固定される。即ち、固定部１３が取付孔部３に圧入されて、基板１２が土留めパネル１の上面に密着しており、嵌合筒部１４に矩形筒状の断面を持つ引き抜き材からなる支柱１５が嵌合している。尚、取付台１１は、土留めパネル１及び支柱１５間に図３（ｂ）に示す固定ぴん１１ａを打ち込んで強固に固定される。
【００１８】
横梁２１は、引き抜き材から形成され図４に示す断面形状を有し、２本の支柱１５間に掛け渡されている。この横梁２１は、側面に２本の水平な突起としての突条２２が突設され、上下の面には突条２２よりも高い突条２３が突設されている。尚、突条２２は間欠的に突設された突起でもよい。
【００１９】
この横梁２１は、支柱１５に対してＴ字形の連結具２４を介してねじ２４ｂにより固定されている。尚、支柱１５間の距離が長い場合は、途中の複数箇所の横梁２１の間に間隔材１５ａを挿入して十字形の連結具２４ａを介してねじ２４ｂにより固定する。
【００２０】
ネット３１は、図４に示すように、線材を縦、横に格子状に配列し、横線３２の一方の側面に縦線３３を溶接して構成されている。ネット３１は、横線３２を横梁２１の突条２２に係止すると（図５参照）、縦線３３が突条２２にほぼ面一になる。
【００２１】
そして、連結具２４を支柱１５に取付けると、横線３２の端部が連結具２４に押さえられて、横梁２１とともに支柱１５に対して共締めされる。
【００２２】
連結具２４の中間の複数箇所には、図６に示すように、掛け具２５が取付けられている。この掛け具２５は、中央部分が横線３２を押さえ、両端をＵ字状に折り曲げて突条２３に係止されている。これによりネット３１は支柱１５及び横梁２１に強固に固定される。
【００２３】
支柱１５の上端部には回動レバー４１が取付けられている。この回動レバー４１は、図７に示すように、第１のレバー４２と、これにヒンジ４３を介して回動可能に軸支された「く」字状の第２のレバー４４とから構成されている。この第１のレバー４２は、基端部が支柱１５に圧入固定され、第２のレバー４４が溝２内に位置する。また、第２のレバー４４の端部は斜め梁４５の一端部に固定されている。
【００２４】
この斜め梁４５の他端部にはＣ形の結合凹部４６が形成されている。
【００２５】
溝２の両側の支柱１５から延設された斜め梁４５は、先端部が相互に対向しており、側方から結合部材４７を挿入すると相互に結合される（図８参照）。この結合部材４７は、結合凹部４６内に挿入される２個の円柱部４８を連絡部４９により連結するものである。そして、この斜め梁４５及び結合部材４７の上部にはシート５０が掛けられ、溝２の上方を覆っている。
【００２６】
尚、２本の斜め梁４５は、中間部に取着された補強梁５１により連結されている。
【００２７】
斜め梁４５は、回動レバー４１により支柱１５に対して回動可能に構成されているので、溝２の幅が広い場合は、斜め梁４５が水平に近くなり、溝２の幅が狭い場合は、斜め梁４５の傾斜角を大にして先端が山形になり、溝２の幅の変化に対応できる。
【００２８】
また、結合部材４７を取り外せば図２に示すように支柱１５の側面に重なるので、溝２内に突出することがなく、その幅寸法を減少することがないので、機械を使用した作業も容易にできる。
【００２９】
次に図９及び図１０により電灯保持板６１について説明する。この電灯保持板６１は、屈曲性に優れた材料例えば銅系、アルミニュウム系、軟質鋼材等から屈曲可能に形成されており、コ状の係止部６２が横梁２１を上下面を挟むようにして突条２３に係止している。係止部６２に連続してその下端からコ字状を成す電灯保持部６２が形成され、係止部６２の下部には屈曲性を良くするための切欠部６４が形成されている。
【００３０】
この電灯保持部６２は、非使用時には横梁２１の下部に収容されて横梁２１から突出することがない。そして、夜間の作業時には二点鎖線で示すように折り曲げて横梁２１の外側に突出させ、ここに電灯を保持させる。
【００３１】
尚、上記実施例においては、土留めパネル１間に溝２を形成した場合について説明したが、本発明のフェンス１０は、これに限らず、矢板を打ち込み、これらの間に溝２を形成した場合にも適用できる。この場合、取付台１１は溝２の両側面に沿ってその周縁部に打ち込むように敷設すればよい。
【００３２】
図１１〜図１５は、本願発明の第２の実施例を示すもので、第１の実施例との相異点について説明する。
【００３３】
請求項３に係る取付台７１は、図１１，１２に示すように、基板７２の下部に、土留めパネル１の取付孔部３に圧入される固定部７３が形成され、基板７２に形成された嵌合孔部７２ａに沿って添え板７４が突設されている。
【００３４】
支柱１５は嵌合孔部７２ａに挿入され、取付台７１に固着されている。この取付台７１は、土留めパネル１の取付孔部３に圧入されて、溝２の周縁部に固定される。
【００３５】
尚、支柱１５と取付台７１との結合は上記の構成に限らず、例えば支柱１５の下端部を基板７２に溶接してもよい。
【００３６】
請求項５に係る斜め梁８３は、図１３〜図１６に示すように、筒状の第１の梁８４の内部に第２の梁８５が摺動可能に挿入されている。そして、これら第１の梁８４及び第２の梁８５の関係位置を変えて図示しない固定装置により適宜の長さに固定される。
【００３７】
一方の支柱１５の上端部には図１３，図１４に示すように、固着片８１ａを介して補助支柱８１が固着されている。この補助支柱８１の上端部には、枢着部８２が設けられており、この枢着部８２に斜め梁８３の端部が回動可能に取付けられている。また、斜め梁８３の他端部にはコ字状の係止片８６が取付けられている。
【００３８】
この斜め梁８３は溝２の幅に応じて長さを変化し、斜め梁８３の端面を支柱１５に衝止して支柱１５の天端に係止片８６を係止させれば、図１５、図１６に示すように山形に形成される。
【００３９】
この第２の実施例によれば、斜め梁８３の長さを調節可能にしたので、支柱１５に取付ける作業が片側で実施でき、第１の実施例の効果に加えて作業が容易にできるという効果を奏するものである。
【００４０】
【発明の効果】
請求項１の発明は、掘削工法において、掘削された溝２の両側面に沿ってその周縁部に間隔をおいて敷設された複数個の取付台１１と、
これら取付台１７の上部に固定された複数個の支柱１５と、
これらの支柱１５間に掛け渡され連結具２４を介して該支柱１５に連結された複数個の横梁２１と、
線材から構成され横梁間に取着されたネット３１と、
各支柱１５の上端に対して回動レバー４１を介して回動可能に連結される斜め梁４５と、
これら各斜め梁４５の対向する先端部に挿入されて、各斜め梁４５を連結する結合部材４７とを備えたので、溝の側面を覆うことができ、作業者及び歩行者の安全を確保できるし、溝２の幅が変化したときにも斜め梁４５の傾斜を変えるだけで対応できるという効果を奏するものである。
【００４１】
また、この請求項１の発明では、対向する斜め梁４５との結合を解除して、斜め梁４５を支柱１５の側面に重ねれば、溝２内で例えば掘削機械を操作する場合にも、溝２の上方空間を遮ることがないので、作業の支障にならない。
【００４２】
請求項２の発明は、ネットは、線材を縦、横に格子状に配列して横線の一方の側面に縦線を取着してなり、該横線を横梁の側面部に突設した突起に係止して支柱に対して該横梁とともに共締めされているので、ネットの取付けが簡単であり、しかも、溝の側面を覆うので、作業者及び歩行者の安全を確保できる。
【００４３】
請求項３の発明は、支柱の下端部に取付台を固着しているので、支柱の組立作業が容易になる。
【００４４】
請求項４の発明は、溝を挟んで対向する支柱の上端には、対向する支柱に向けて延設され先端部が結合部材により相互に山形に結合された斜め梁が取着されており、これら斜め梁の上に溝を覆うシートが取着されているので、雨天でも作業が可能となるという効果を奏するものである。
【００４５】
請求項５の発明の斜め梁は、伸縮可能に構成され、一端部が一方の支柱の上端部に取着された補助支柱に対して回動可能に取付けられ、他端部が他方の支柱の上端に係止されているので、組立及び長さの調節作業が他方の支柱側から行うことができるので、組立が容易にできるという効果を奏するものである。
【００４６】
請求項６の発明は、横梁は、折り曲げ可能に構成されて非使用時には該横梁の下部に収容されており、使用時に折り曲げて外側に突出させる電灯保持板を取着しているので、夜間の作業に照明用の電灯を支持させることができるという効果を奏するものである。
【図面の簡単な説明】
【図１】  本発明の第１の実施例の斜視図である。
【図２】  斜め梁を畳んだ状態における斜視図である。
【図３】  （ａ）は取付台の斜視図であり、（ｂ）は固定ぴんの正面図である。
【図４】  ネットを取付けた状態における斜視図である。
【図５】  横梁とネットの取付状態を示す断面図である。
【図６】  掛け具を取着した横梁とネットの状態を示す断面図である。
【図７】  支柱と斜め梁との関係を示す正面図である。
【図８】  ２本の斜め梁の先端部における状態を示す図である。
【図９】  電灯保持板の斜視図をである。
【図１０】  電灯保持板を横梁に取付けた状態を示す斜視図である。
【図１１】  本発明の第２の実施例の正面図である。
【図１２】  取付台の斜視図である。
【図１３】  斜め梁の正面図である。
【図１４】  斜め梁の側面図である。
【図１５】  斜め梁を支柱に取付けた状態の正面図である。
【図１６】  溝幅が異なる場合において斜め梁を支柱に取付けた状態の正面図である。
【符号の説明】
１  土留めパネル（溝の周縁部）
２  溝
１０  フェンス
１１  取付台
１５  支柱
２１  横梁
２２  突条（突起）
２４  連結具
３１  ネット
３２  横線
３３  縦線
４１  回動レバー
４５  斜め梁
４６  結合凹部
４７  結合部材
５０  シート
６１  電灯保持板
７１  取付台
８１  補助支柱
８１ａ固着片
８３  斜め梁
８４  第１の梁
８５  第２の梁
８６  係止片
【図１】
0004206492.tif 000002
【図２】
0004206492.tif 000003
【図３】
0004206492.tif 000004
【図４】
0004206492.tif 000005
【図５】
0004206492.tif 000006
【図６】
0004206492.tif 000007
【図７】
0004206492.tif 000008
【図８】
0004206492.tif 000009
【図９】
0004206492.tif 000010
【図１０】
0004206492.tif 000011
【図１１】
0004206492.tif 000012
【図１２】
0004206492.tif 000013
【図１３】
0004206492.tif 000014
【図１４】
0004206492.tif 000015
【図１５】
0004206492.tif 000016
【図１６】
0004206492.tif 000017